(57)【要約】      （修正有）【課題】物品梱包バンドを迅速に着脱する物品梱包器を提供する。【解決手段】二つのラチェット２上に設けた巻軸３と、上下動可能で前記二つのラチェット２外側に設けた上フレーム体４と、上下動可能で前記二つのラチェット内側に設けた下フレーム体５と、前記上フレーム体４上に設けられ、前記ラチェット２の逆転を回避できる上拘持機構６と下拘持機構７とを有し、物品梱包バンド１０，１２を引張ることに用いられる物品梱包器１であって、前記ラチェット２の内、外側にはそれぞれ内、外凸起を設けることで上、下フレーム体４，５の上下動中心として、且つ、その上に複数個の孔を設けている、前記巻軸３は複数個の巻軸部材から形成され、前記複数個の巻軸部材はそれぞれ前記二つのラチェット２の複数個孔上に設けられ、その中、少なくとも一個は巻軸の中から取出すことができる物品梱包器を提供する。【選択図】図１
0003132811.tif 000002
【実用新案登録請求の範囲】
【請求項１】
二つのラチェットと、前記二つのラチェット上に設けた巻軸と、上下動可能で前記二つのラチェット外側に設けた上フレーム体と、上下動可能で前記二つのラチェット内側に設けた下フレーム体と、前記上フレーム体上に設けられ、前記ラチェットの逆転を回避できる上拘持機構と、前記上フレーム体上に設けられ、前記ラチェットの逆転を回避できる下拘持機構とを有し、物品梱包バンドを引張ることに用いられる物品梱包器であって、前記ラチェットの内、外側にはそれぞれ内、外凸起を設けることで上、下フレーム体の上下動中心として、且つ、その上に複数個の孔を設けている、前記巻軸は複数個の巻軸部材から形成され、前記複数個の巻軸部材はそれぞれ前記二つのラチェットの複数個孔上に設けられ、その中、少なくとも一個は巻軸の中から取出すことができることを特徴とする物品梱包器。
【請求項２】
前記各個の巻軸部材は巻軸の中から取出すことができることを特徴とする請求項１記載の物品梱包器。
【請求項３】
前記巻軸は二つの巻軸部材から構成されて、前記巻軸部材は定位機構を介して別の巻軸部材に定位したことを特徴とする請求項１記載の物品梱包器。
【請求項４】
前記定位機構は、巻軸部材の引出し端に直径方向孔と該直径方向孔と略垂直の孔を設けて、別の巻軸部材において前記巻軸部材の孔と相連通する孔が設けていることと、それぞれ前記直径方向孔の二端に枢設する二つの第１枢軸と、略Ｕ形を呈し、開口端の二側にそれぞれ前記第１枢軸上に固定され、それが巻軸部材の引出し端で上下動でき、その二側の第１枢軸上方にはそれぞれ孔を設けた拘ピースと、それぞれ前記拘ピース二側の孔に枢設する二つの第２枢軸と、略Ｕ形を呈し、それぞれ開口端の二側に孔を設けることで前記二つの第２枢軸に枢設される連接ピースと、前記巻軸部材の孔に設けられ、その末端に孔を設けることで前記連接ピースの末端へ枢設する挿しピンとを有することを特徴とする請求項３記載の物品梱包器。
【請求項５】
前記ラチェットは厚さがその必要とする半分で、内側に設けた内凸起のラチェットと、厚さがその必要とする半分で、外側に外凸起のラチェットを設けて形成されたことを特徴とする請求項１記載の物品梱包器。
【考案の詳細な説明】
【技術分野】
【０００１】
本考案は、特に巻軸が巻軸部材から分離可能に結成され、物品梱包バンドの着脱が便利で、並びに物品梱包の応用分野を更に広範させた物品梱包器に関する。
【背景技術】
【０００２】
図５に示すように、従来の物品梱包器１ａは固定端をきつく引張り、それぞれ定位ピース１４ａ，１６ａ（例えば、フック又はリング）で堅固な支持物（例えば車輛周囲の掛けフック）へ固設する、且つ連結端が承載物（図示せず）をまいた後、それぞれその上の上、下物品梱包バンド１０ａ，１２ａに設置する。その中、孔２１ａを有する二つのラチェット２ａと、二つのラチェット２ａの孔２１ａに設け、スリット３１ａを設けている巻軸３ａ、前記上物品梱包バンド１０ａの連結端はスリット３１ａを通り抜け並び継続的に余分部分を引き出すことで承載物をきつく縛る巻軸と、略Ｕ形を呈し、その開口端は上下動可能に二つのラチェット２ａ外の巻軸３ａに固設する。
【０００３】
そして、その末端が押動部４３ａで、上フレーム体４ａを上下動できる上フレーム体４ａと、略Ｕ形を呈し、その開口端は上下動可能に二つのラチェット２ａ内の巻軸３ａに固定している。その末端が固定ピース５３ａで、下物品梱包バンド１２ａの設置に供給できる下フレーム体５ａとを有する。上拘持機構６ａの中は略Ｕ形を呈し、前後移動可能に上フレーム体４ａの中段に設けている。
【０００４】
それが、前に向いて移動した後、それぞれ開口端二側は二つのラチェット２ａ上にかけとめることでラチェット２ａの逆転を回避するものと、上止め段６１ａ上に設けられ、止め段６１ａを推動前進させることで、二つのラチェット２ａにかけ止めるスプリング６３ａと、スプリング６３ａ後方の上フレーム体４ａに設けられ、スプリング６３ａの支持に用いる支持ピース６５ａとを有する。
【０００５】
下拘持機構７ａの中には大体Ｕ形を呈し、前後移動可能に下フレーム体５ａ中段に設け、それが前に向いて移動した後、それぞれ開口端二側は二つのラチェット２ａ上にかけ止めることでラチェット２ａの逆転を回避する下拘持機構７ａと、下止め段７１ａ上に設けられ、下止め段７１ａを推動前進できることで二つのラチェット２ａにかけ止めるスプリング７３ａと、スプリング７３ａ後方の下フレーム体５ａに設けられ、スプリング７３ａの支持に用いられる支持ピース７５ａとを有する。使用の時には上下フレーム体４ａ，５ａを重複上下動し、そのてこの力（てこの支点から力点までの距離）作用を介することで、人力にも数倍する力量で上下の物品梱包バンド１０ａ，１２ａをきつくしめることで、確実に承載物が固定されて、滑り、落下の憂いがない。  
【０００６】
物品梱包器が承載物を固定している時に極めて重要な役割を担っている。但し、物品梱包バンド１０ａを狭い巻軸３ａのスリット３１ａに通り抜けるためには、物品梱包バンド１０ａの連結端には定位ピースを設けてはならない。このため、物品梱包バンド１０ａの適用範囲が制限された。この外、承載物の体積と形状がさまざまの態様を呈しているため、物品梱包バンドは通常比較的長い長さに形成されて、物品梱包バンド１０ａの連結端が狭い巻軸３ａのスリット３１ａを通り抜けた後、余分の長さを引き出す必要があるため、相当な時間を消費する。梱包を卸す場合、上、下止め段６１ａ，７１ａを引き開いて巻軸３ａを逆転させると、物品梱包バンドが直ちに梱包を開放する。但し、この時、物品梱包バンド１０ａを巻軸３ａのスリット３１ａ内から引出す必要があるので、若干の時間を浪費し不経済且つ、不便である。
【考案の開示】
【考案が解決しようとする課題】
【０００７】
上記従来例の欠陥に鑑み、物品梱包バンドを迅速に着脱できるようにするとともに、該物品梱包バンドの適用分野を拡大させるために解決せられるべき技術的課題が生じてくるのであり、本考案は該課題を解決することを目的とする。
【課題を解決するための手段】
【０００８】
本考案は上記目的を達成するために提案されたものであり、請求項１記載の考案は二つのラチェットと、前記二つのラチェット上に設けた巻軸と、上下動可能で前記二つのラチェット外側に設けた上フレーム体と、上下動可能で前記二つのラチェット内側に設けた下フレーム体と、前記上フレーム体上に設けられ、前記ラチェットの逆転を回避できる上拘持機構と、前記上フレーム体上に設けられ、前記ラチェットの逆転を回避できる下拘持機構とを有し、物品梱包バンドを引張ることに用いられる物品梱包器であって、前記ラチェットの内、外側にはそれぞれ内、外凸起を設けることで上、下フレーム体の上下動中心として、且つ、その上に複数個の孔を設けている、前記巻軸は複数個の巻軸部材から形成され、前記複数個の巻軸部材はそれぞれ前記二つのラチェットの複数個孔上に設けられ、その中、少なくとも一個は巻軸の中から取出すことができることを特徴とする物品梱包器を提供する。
【０００９】
又請求項２記載の考案は、前記各個の巻軸部材は巻軸の中から取出すことができることを特徴とする請求項１記載の物品梱包器を提供する。
【００１０】
更に請求項３記載の考案は前記巻軸は二つの巻軸部材から構成されて、前記巻軸部材は定位機構を介して別の巻軸部材に定位したことを特徴とする請求項１記載の物品梱包器を提供する。
【００１１】
又、請求項４記載の考案は前記定位機構は、巻軸部材の引出し端に直径方向孔と該直径方向孔と略垂直の孔を設けて、別の巻軸部材において前記巻軸部材の孔と相連通する孔が設けていることと、それぞれ前記直径方向孔の二端に枢設する二つの第１枢軸と、略Ｕ形を呈し、開口端の二側にそれぞれ前記第１枢軸上に固定され、それが巻軸部材の引出し端で上下動でき、その二側の第１枢軸上方にはそれぞれ孔を設けた拘ピースと、それぞれ前記拘ピース二側の孔に枢設する二つの第２枢軸と、略Ｕ形を呈し、それぞれ開口端の二側に孔を設けることで前記二つの第２枢軸に枢設される連接ピースと、前記巻軸部材の孔に設けられ、その末端に孔を設けることで前記連接ピースの末端へ枢設する挿しピンとを有することを特徴とする請求項３記載の物品梱包器を提供する。
【００１２】
更に請求項５記載の考案は、前記ラチェットは厚さがその必要とする半分で、内側に設けた内凸起のラチェットと、厚さがその必要とする半分で、外側に外凸起のラチェットを設けて形成されたことを特徴とする請求項１記載の物品梱包器を提供するものである。
【考案の効果】
【００１３】
本考案の上記構成により以下の効果を奏することができる。
【００１４】
１．物品梱包バンドを迅速に着脱することができる。
【００１５】
２．物品梱包バンドの適用範囲を拡大させることができる。
【００１６】
３．精巧的に物品梱包バンドを巻軸スリットへ通し抜ける必要がなく、更に長過ぎる物品梱包バンド部分を引出す必要がないので、梱包時間を大巾に短縮することができる。
【００１７】
４．コストの節約と生産性向上に寄与する。
【考案を実施するための最良の形態】
【００１８】
本考案は物品梱包バンドを迅速に着脱でき、且つ、広範囲に適用できる物品梱包バンドを得ると云う目的を達成するために二つのラチェットと、前記二つのラチェット上に設けた巻軸と、上下動可能で前記二つのラチェット外側に設けた上フレーム体と、上下動可能で前記二つのラチェット内側に設けた下フレーム体と、前記上フレーム体上に設けられ、前記ラチェットの逆転を回避できる上拘持機構と、前記上フレーム体上に設けられ、前記ラチェットの逆転を回避できる下拘持機構とを有し、物品梱包バンドを引張ることに用いられる物品梱包器であって、前記ラチェットの内、外側にはそれぞれ内、外凸起を設けることで上、下フレーム体の上下動中心として、且つ、その上に複数個の孔を設けている、前記巻軸は複数個の巻軸部材から形成され、前記複数個の巻軸部材はそれぞれ前記二つのラチェットの複数個孔上に設けられ、その中、少なくとも一個は巻軸の中から取出すことができることを特徴とする物品梱包器を提供することによって実現した。
【実施例】
【００１９】
図１〜図２に示す如く、本考案の物品梱包器１は上、下物品梱包バンド１０，１２をきつく引くのに用いられ、その上、下フレーム体４，５と上、下拘持機構６，７の構成は大体慣用のものと同じである。そのラチェット２の内、外側にはそれぞれ内、外凸起２３，２５を設けることで、上、下フレーム体の上下動中心としている。巻軸３は複数個の巻軸部材から構成され、その中、少なくとも一個は巻軸３の中から取出されることを特徴とする。そして、物品梱包バンド１０と該物品梱包バンド１０の適用分野を更に拡大せしめる。以下、詳細に説明する。
【００２０】
ラチェット２には複数個の孔２１，２２を設けることで複数個の巻軸部材３３，３５（前記ラチェットの孔と巻軸の巻軸部材は二個又は二個以上にできる。本文は一律に二個を例とする。）
二つのラチェット２の孔２１に設けられ、巻軸３の中から取出すことができることで上物品梱包バンド１０の設置の便となす巻軸部材３３と、二つのラチェット２の孔２２に固設し、それが巻軸部材３３の中とにスリット３１を設けている別の巻軸部材３５とを有する巻軸３と、その中に巻軸部材３３の引出し端に直径方向の孔８４及び略直径方向の孔８４と垂直に孔８３が設けられているのと、別の巻軸部材３５において一つの巻軸部材３３の孔８３と相連通の孔８１を設けている定位機構８と、それぞれ直径方向の孔８４二端に枢設された二つの第１枢軸と略Ｕ形を呈し、それぞれ開口端二側を第１枢軸８８上に固設することで、それが巻軸部材３３の引出端で上下動できる。
【００２１】
その二側の第１枢軸８８上方にはそれぞれ孔９１を設ける二つの第１枢軸８８と、それぞれ拘ピース８７二側の孔９１に枢設した二つの第２枢軸９５と略Ｕ形を呈し、それぞれ開口端二側に孔９３を設けることで、二つの第２枢軸９５に枢設する連接ピース８９と、巻軸部材３３の孔８３に設けられ、その末端に孔８６を設けることで連接ピース８９末端に設けている挿入ピン８５とを包む。
【００２２】
そして、拘ピース８７が下に向けて下動した時、連接ピース８９を率い動かし更に挿入ピン８５を率い動かして、巻軸部材３３の孔８３を通り抜け、並びに別の巻軸部材３５の孔８１に挿置するのを介して巻軸部材３３を別の巻軸部材３５に定位させる。そして、拘ピース８７が上に向けて上動した時、挿入ピン８５を率い動かして別の巻軸部材３５の孔８１から退出した後、側辺から巻軸部材３３を取出すことで物品梱包バンド１０を迅速に着脱させる。
【００２３】
物品梱包バンド１０がスリット３１から通り抜けるのを必要としないため、その二端には定位ピース１４（図示せず）を設けることができるので、物品梱包バンドの適用分野が更に広範となり、且つ、その着脱時間も大巾に減少されることができる。
【００２４】
本考案も一本の二端が定位ピースを設けた物品梱包バンドを用いて、使用の際、まずその一端を固定し承載物をまいた後、更に別の一端を固定する。然る後、その余分部分の中段を折半する。更に、巻軸のスリット中に設置すれば直ちに上、下フレーム体の上下動を介して物品梱包バンドを強固に引き付ける（図示せず）。
【００２５】
本考案の巻軸３の巻軸部材３３，３５は相対性を備えており、巻軸部材３５の如きは分離することができる。別の巻軸部材３３では固定したものである（図示せず）。
【００２６】
巻軸部材３３，３５は使用要求により各種形状の断面を採用できる。本考案は略半円形を呈する。
【００２７】
図３に示す第二実施例の如く、巻軸３ｂの巻軸部材３３ｂ，３５ｂは皆取出すことができる。巻軸３ｂの二端はそれぞれ定位機構８を設けている。そして、巻軸３ｂを定位するため二つのラチェット２ｂ外側にそれぞれ支持フレーム２７が設けられ、該支持フレーム２７上には孔２９を設けることで定位機構８への挿入ピン８５の挿置に供するのを介して、巻軸３ｂを定位し巻軸３ｂの左右動を回避している。
【００２８】
図４に示すラチェット２ｃの別の一実施例の如く、コスト節約と生産向上のためラチェット２ｃは厚さが約その必要とする半分からなり、且つ、内側に内凸起２３ｃを設けたラチェット２０ａと、厚さが約その必要とする半分からなり、且つ、外側に外凸起２５ｃを設けてなるラチェット２０ｂから構成される。
【図面の簡単な説明】
【００２９】
【図１】本考案の立体図。
【図２】本考案のラチェットと巻軸の構成説明図。
【図３】本考案巻軸の第二実施例のラチェットと巻軸の構成説明図。
【図４】本考案のラチェット別の一実施例説明図。
【図５】慣用物品梱包器の構成説明図。
【符号の説明】
【００３０】
１，１ａ        物品梱包器
２，２ａ，２ｂ，２ｃ，２０ａ，２０ｂ      ラチェット
３，３ａ，３ｂ  巻軸
４，４ａ        上フレーム体
５，５ａ        下フレーム体
６，６ａ        上拘持機構
７，７ａ        下拘持機構
８              定位機構
１０，１０ａ      上物品梱包バンド
１２，１２ａ      下物品梱包バンド
１４，１４ａ，１６ａ    定位ピース
２１，２１ａ，２２，２９，８１，８３，８６，９１，９３    孔
２３，２３ｃ      内凸起
２５，２５ｃ      外凸起
２７              支持フレーム
３１，３１ａ      スリット
３３，３３ｂ，３５，３５ｂ    巻軸部材
４３ａ            押動部
５３ａ            固定ピース
６１ａ            上止め段
６３ａ，７３ａ    スプリング
６５ａ，７５ａ    支持ピース
７１ａ            下止め段
８４              直径方向の孔
８５              挿入ピン
８７              拘ピース
８８              第１枢軸
８９              連接ピース
【図１】
0003132811.tif 000003
【図２】
0003132811.tif 000004
【図３】
0003132811.tif 000005
【図４】
0003132811.tif 000006
【図５】
0003132811.tif 000007